(57)【要約】【課題】高齢者や障害者が横になっていても薬を楽に服用するようにする。【解決手段】薬の服用を補助する薬服用具であって、この薬服用具は水を入れる容器と、これに接続される薬供給部とから構成され、この容器は容器本体と蓋と連通管とか構成され、この連通管は一端が容器本体に結合し、他端には薬供給部が接続し、この薬供給部は接続部と薬受け部からなり、この薬受け部は上方に開口して薬を挿入できる大きさを有し、容器内の水が連通管と薬供給部の中を貫流する貫流通路を有することを特徴とする薬服用具であり、薬と水を同時に口に入れることができる。【選択図】図１
2016107030.tif 000002
【特許請求の範囲】
【請求項１】
薬の服用を補助する薬服用具であって、この薬服用具は水を入れる容器と、これに接続される薬供給部とから構成され、この容器は容器本体と蓋と連通管とか構成され、この連通管は一端が容器本体に結合し、他端には薬供給部が接続し、この薬供給部は接続部と薬受け部からなり、この薬受け部は上方に開口して薬を挿入できる大きさを有し、容器内の水が連通管と薬供給部の中を貫流する貫流通路を有することを特徴とする薬服用具。
【請求項２】
請求項１の薬服用具の薬供給部が筒状の接続部を有し、連通管の端部に嵌合することを特徴とする薬供給具。
【請求項３】
薬の服用を補助する薬服用具であって、この薬服用具は水を入れる容器に連通する連通管の他端に嵌合する薬供給具であり、この薬供給具は連通管に嵌合する接続部と薬受け部を有し、この薬受け部は上方に開口して薬を挿入できる大きさを有し、容器内の水が連通管と薬供給部の中を貫流する貫流通路を有することを特徴とする薬服用具。
【発明の詳細な説明】
【技術分野】
【０００１】この発明は、薬の服用が不自由な人のため、薬の服用を補助する薬服用具に関する。
【背景技術】
【０００２】従来、高齢者や障害者が薬を服用する際は、先に薬を口に入れて次に水を飲み込もうとすと、タイミングが合わず、上手く飲み込めない問題があった。そこで、薬と水を同時に口に入れて薬を服用する次の技術が開示されていた。
【先行技術文献】
【特許文献】
【０００３】
【特許文献１】特開２００１−２３８９３５
【特許文献２】特開２０１０−１７５１２
【発明の概要】
【発明が解決しようとする課題】
【０００４】特許文献１、特許文献２の従来技術は、コップの上に薬受けを設けることにより、薬と水を同時に口に入れて、薬を服用するものである。しかしながら、これらの技術は服用者が上体を起こして薬を服用するものであり、ベッドや布団に横になっているときは、受け口と服用者の口が上手く合わなかったり、水が溢れやすかったりして、薬の服用が困難という問題があった。
【課題を解決するための手段】
【０００５】薬の服用を補助する薬服用具であって、この薬服用具は水を入れる容器と、これに接続される薬供給部とから構成され、この容器は容器本体と蓋と連通管とか構成され、この連通管は一端が容器本体に結合し、他端には薬供給部が接続し、この薬供給部は接続部と薬受け部からなり、この薬受け部は上方に開口して薬を挿入できる大きさを有し、容器内の水が連通管と薬供給部の中を貫流する貫流通路を有することを特徴とする薬服用具である。
【発明の効果】
【０００６】この発明では、上記の問題点を解決し、高齢者や障害者が横になっていても薬を容易に服用することができる。
【図面の簡単な説明】
【０００７】
【図１】第一の実施例の薬服用具を示す斜視図である。
【図２】第一の実施例の薬服用具の薬供給部の縦断面図である。
【図３】第二の実施例の薬服用具を示す斜視図である。
【図４】第二の実施例の薬服用具の薬供給部の縦断面図である。Ａはフラップが閉じた状態を示し、Ｂはフラップが開いた状態を示す。
【図５】第三の実施例の薬服用具を示す斜視図である。
【図６】第四の実施例の薬服用具を示す斜視図である。
【発明を実施するための形態】
【０００８】薬の服用を補助する薬服用具であって、この薬服用具は水を入れる容器と、これに接続される薬供給部とから構成され、この容器は容器本体と蓋と連通管とか構成され、この連通管は一端が容器本体に結合し、他端には薬供給部が接続し、この薬供給部は接続部と薬受け部からなり、この薬受け部は上方に開口して薬を挿入できる大きさを有し、容器内の水が連通管と薬供給部の中を貫流する貫流通路を有することを特徴とする薬服用具である。
【０００９】上記の薬服用具の薬供給部が筒状の接続部を有し、連通管の端部に嵌合することを特徴とする薬供給具である。
薬の服用を補助する薬服用具であって、この薬服用具は水を入れる容器に連通する連通管の他端に嵌合する薬供給具であり、この薬供給具は連通管に嵌合する接続部と薬受け部を有し、この薬受け部は上方に開口して薬を挿入できる大きさを有し、容器内の水が連通管と薬供給部の中を貫流する貫流通路を有することを特徴とする薬服用具である。
【実施例】
【００１０】図１、図２により第一の実施例を説明すると、薬の服用を補助する薬服用具１０は水を入れる容器２０と、薬供給部３０とから構成されている。容器２０は、容器本体２２と、この上部開口部を覆う蓋２１と、連通管２３とから構成されている。容器２０は、ガラスやプラスチック等で形成され、連通管２３は一端は容器本体２２に結合され、他端には薬供給部３０が接続されている。なお、連通管２３は筒状で容器本体２３から横方向に十分長さ突出し、薬を服用するとき容器本体２２と顔が近付き過ぎないようにしている。連通管２３は閉断面の筒状であるので、薬服用具１０が傾いても水が溢れることがない。容器２０は、軟質のプラスチックで形成して、これを指で押して水を押し出すようにしてもよい。【００１１】薬供給部３０は、筒状の接続部３１と皿状の薬受け部３３とから構成されている。接続部３１は内径がテーパー状なので、連通管２３の端部に容易に嵌合させることができる。薬供給部３０は、シリコーンゴム等のゴムや軟質プラスチック等の柔軟で弾力性のある材料を用いて成形すれば、連通管２３のサイズが異なっても柔軟に対応可能である。【００１２】仕切り３７が、接続部３１の端部の開口部３２の下方に設けられ、薬が連通管２３の奥に入り込まないようにしている。ストッパー３４が接続部３１の下方に設けられ、薬供給部３０が口の奥に入り過ぎないようにしている。なお、ストッパー３４にはリブ３８が設けられ、後方に倒れにくくしている。ツマミ３５が、接続部３１の上部に設けられ、薬供給部３０を連通管２３に嵌合しやすくしている。容器本体２２から連通管２３を通って薬受け部３３まで通じる貫流通路４０が形成されている。【００１３】薬を服用する際は、薬受け部３３に薬を載せて、服用者が薬受け部３３と接続部３１を口に含み、薬服用具１０を傾けると水が貫流通路４０を通って薬受け部３３の薬と共に口の中に流れ込む。服用者が横になっていても、薬受け部３３が服用者の口の適応しているので、薬や水を溢したりすることなく容易に薬を服用することができる。【００１４】図３、図４により第二の実施例を説明すると、フラッパー３６が開口部３２の上部を支点に回動可能なように設けられている。これにより、薬が奥に入り込まないようにすると共に、水が溢れて服用者がむせたりしないようしている。【００１５】図５により、第三の実施例を説明する。この実施例では、ストッパー３４を接続部３１の全周に渡って設けてあり、ストッパーの効果を確実にすると同時に、水が溢れるのを防止する効果を持たせている。さらに、薬受け部３３の上部開口部を小さくして、薬が溢れるのを防止している。【００１６】図６は、第四の実施例であり、容器２０と薬供給部３０をガラスや軟質プラスチック等の同一の材料で形成したものであり、構造を簡略化している。
【産業上の利用可能性】
【００１７】この発明の薬服用具は、障害者や高齢者が薬を服用するのを補助するのに役立つ他、幼児等にも利用可能である。
【符号の説明】
【００１８】１０は薬服用具
２０は容器
２１は蓋
２２は容器本体
２３は連通管
３０は薬供給具
３１は接続部
３２は開口部
３３は薬受け部
３４はストッパー
３５はツマミ
３６はフラッパー
３７は仕切り
３８はリブ
４０は貫流通路
【図１】
2016107030.tif 000003
【図２】
2016107030.tif 000004
【図３】
2016107030.tif 000005
【図４】
2016107030.tif 000006
【図５】
2016107030.tif 000007
【図６】
2016107030.tif 000008